(57)【特許請求の範囲】
【請求項１】
画像データと文章データとを有するＷｅｂデータを表示する表示手段と上記Ｗｅｂデータを送受するデータ送受信手段とメールトゥ機能とを有する携帯型通信端末と、
上記Ｗｅｂデータの送受を保存するデータ保存手段と、上記Ｗｅｂデータに対して外部から該Ｗｅｂデータを参照するための宛先アドレスを付する情報付加手段と、登録された利用者を認証する認証手段と、を有する情報供給サーバとを備え、
上記情報供給サーバは、上記携帯型通信端末との通信において上記認証手段により認証された利用者によって以前に配信されたＷｅｂデータの一覧情報を上記携帯型通信端末に送信するとともに、上記携帯型通信端末により上記一覧情報から選択され変更されたＷｅｂデータに該Ｗｅｂデータを参照するための新たな宛先アドレスを付加して上記データ保存手段に保存し、上記携帯型通信端末に対してメールトゥ機能を選択可能とするための項目を含む保存完了通知を送付し、上記携帯型通信端末において上記保存完了通知における上記メールトゥ機能が選択されてメール作成画面が表示された際に、上記新たな宛先アドレスが上記携帯型通信端末のメール作成画面に引き渡されて表示され、該新たな宛先アドレスが配信相手に対して送信される情報配信システム。
【請求項２】
上記携帯型通信端末において、上記情報供給サーバより送信された上記新たな宛先アドレスが上記メールトゥ機能に引き数として渡されて、上記新たな宛先アドレスが挿入されたメール作成画面が立ち上がる請求項１記載の情報配信システム。
【請求項３】
上記Ｗｅｂデータを表示する表示手段を有し、上記Ｗｅｂデータに対して所定のデータ処理を施すデータ処理装置を備え、上記データ保存手段に保存されたＷｅｂデータは、上記データ処理装置によって作成されたＷｅｂデータである請求項１記載の情報配信システム。
【請求項４】
上記画像データは、上記データ処理装置において配信先の画像表示能力に応じたデータサイズ及び画像データファイル形式に変換されて上記情報供給装置に保存される請求項３記載の情報配信システム。
【請求項５】
上記画像データファイル形式は、ＧＩＦ（Graphics Interchange Format）形式である請求項４記載の情報配信システム。
【請求項６】
上記文章データは、選択肢付き文章データを含む請求項５記載の情報配信システム。
【請求項７】
上記Ｗｅｂデータは、ＨＴＭＬ（Hyper Text Markup Language）形式のデータである請求項１記載の情報配信システム。
【請求項８】
上記宛先アドレスは、ＵＲＬ（Uniform Resource Locator）である請求項１記載の情報配信システム。
【請求項９】
作成されたＷｅｂデータを保存するデータ保存手段と、上記Ｗｅｂデータに対して外部から該Ｗｅｂデータを参照するための宛先アドレスを付する情報付加手段と、登録された利用者を認証する認証手段とを有する情報供給サーバと、
上記宛先アドレスが付加されたＷｅｂデータを取得するデータ取得手段と、上記Ｗｅｂデータを表示する表示手段とを有する複数の情報処理端末とを備え、
第１の情報処理端末から第２の情報処理端末へＷｅｂデータを配信する情報配信システムにおいて、
上記情報供給サーバは、上記第１の情報処理端末との通信において上記認証手段によって利用者を認証すると、該利用者によって以前に配信された上記Ｗｅｂデータの一覧情報を上記第１の情報処理端末に送信するとともに、上記第１の情報処理端末により上記一覧情報から選択され変更されたＷｅｂデータに該Ｗｅｂデータを参照するための新たな宛先アドレスを付加して上記データ保存手段に保存し、上記第１の情報処理端末に対してメールトゥ機能を選択可能とするための項目を含む保存完了通知を送付し、上記第１の情報処理端末において上記保存完了通知における上記メールトゥ機能が選択されてメール作成画面が表示された際に、上記新たな宛先アドレスが上記第１の情報処理端末のメール作成画面に引き渡されて表示され、該新たな宛先アドレスが第２の情報処理端末に対して送信される情報配信システム。
【請求項１０】
上記新たな宛先アドレスが含まれたメールを受信した上記第２の情報処理端末は、上記新たな宛先アドレスへアクセスすることによって上記保存されたＷｅｂデータを取得可能である請求項９記載の情報配信システム。
【請求項１１】
Ｗｅｂデータを作成する機能と上記データを送受するデータ送受信手段を有する第３の情報処理端末を備え、上記データ保存手段には、上記第３の情報処理端末において作成されたＷｅｂデータが保存されている請求項９記載の情報配信システム。
【請求項１２】
画像データと文章データとを有するＷｅｂデータを表示デバイスに表示する表示工程と上記Ｗｅｂデータを送受するデータ送受信工程とを含む第１の情報処理工程と、
上記Ｗｅｂデータを保存するデータ保存工程と上記Ｗｅｂデータに対して該Ｗｅｂデータを参照するための宛先アドレスを付する情報付加工程と、登録された利用者を認証する認証工程とを含む情報供給工程と、
上記認証工程において利用者が認証されると上記保存されたＷｅｂデータを取得するデータ取得工程と、上記Ｗｅｂデータを表示する表示工程と、上記認証工程で認証された利用者によって以前に配信された上記Ｗｅｂデータの一覧情報の中から選択され変更されたＷｅｂデータに該Ｗｅｂデータを参照するための新たな宛先アドレスを付加して保存する保存工程と、メールトゥ機能を選択可能とするための項目を含む保存完了通知を送付する保存完了通知送付工程と、利用者側で上記保存完了通知における上記メールトゥ機能が選択された際に、上記新たな宛先アドレスを利用者側のメール作成画面に引き渡して表示し、該新たな宛先アドレスを配信相手に対して送信する送信工程とを含む第２の情報処理工程とを有する情報配信方法。
【請求項１３】
上記Ｗｅｂデータに対して所定のデータ処理を施すデータ処理工程を有し、上記データ保存工程で保存されたＷｅｂデータは、上記データ処理工程で作成されたＷｅｂデータである請求項１２記載の情報配信方法。
【請求項１４】
上記画像データは、上記データ処理工程において配信先の画像表示能力に応じたデータサイズ及び画像データファイル形式に変換されて保存される請求項１３記載の情報配信方法。
【請求項１５】
上記画像データファイル形式は、ＧＩＦ（Graphics Interchange Format）形式である請求項１４記載の情報配信方法。
【請求項１６】
上記文章データは、選択肢付き文章データを含む請求項１５記載の情報配信方法。
【請求項１７】
上記Ｗｅｂデータは、ＨＴＭＬ（Hyper Text Markup Language）形式のデータである請求項１２記載の情報配信方法。
【請求項１８】
上記宛先アドレスは、ＵＲＬ（Uniform Resource Locator）である請求項１２記載の情報配信方法。
【請求項１９】
第１の情報処理端末から第２の情報処理端末へＷｅｂデータを配信する情報配信方法において、
作成された上記Ｗｅｂデータを保存するデータ保存工程と、上記Ｗｅｂデータに対して外部から該Ｗｅｂデータを参照するための宛先アドレスを付する情報付加工程と、登録された利用者を認証する認証工程と、上記認証工程で認証された利用者によって以前に配信された上記Ｗｅｂデータの一覧情報を上記第１の情報処理端末に送信する送信工程とを含む情報供給工程と、
上記宛先アドレスが付加されたＷｅｂデータを取得するデータ取得工程と上記Ｗｅｂデータを表示する表示工程とを含む情報処理工程とを有し、
上記第１の情報処理端末により上記一覧情報から選択され変更されると該Ｗｅｂデータを上記データ保存工程で保存し、メールトゥ機能を選択可能とするための項目を含む保存完了通知を送付し、
上記保存完了通知における上記メールトゥ機能が選択された際に、該Ｗｅｂデータを参照するための新たな宛先アドレスを上記第１の情報処理端末のメール作成画面に引き渡して表示し、該新たな宛先アドレスを上記第１の情報処理端末から上記第２の情報処理端末へ送信する情報配信方法。
【請求項２０】
上記第２の情報処理端末では、上記新たな宛先アドレスが含まれたメールを受信し上記新たな宛先アドレスへアクセスすることによって上記保存されたＷｅｂデータを取得可能である請求項１９記載の情報配信方法。
【請求項２１】
Ｗｅｂデータを作成する機能と上記データを送受するデータ送受信手段を有する第３の情報処理端末を備え、上記データ保存工程では、上記第３の情報処理端末において作成されたＷｅｂデータが保存される請求項１９記載の情報配信方法。
【請求項２２】
画像データと文章データとを有するＷｅｂデータを保存するデータ保存手段と、
上記Ｗｅｂデータに対して外部から該データを参照するための宛先アドレスを付する情報付加手段と、
登録された利用者を認証するための認証手段と、
上記認証手段により認証された利用者によって以前に配信された上記Ｗｅｂデータの一覧情報および上記宛先アドレスを携帯型通信端末に対して送信する送信手段とを備え、
上記情報付加手段は、上記携帯型通信端末において変更された文章データを含む変更後のデータに対して新たな宛先アドレスを付加し、
上記送信手段は、上記変更後のＷｅｂデータ及び上記新たなアドレスを上記データ保存手段に保存した際に、上記携帯型通信端末に対してメールトゥ機能を選択可能とするための項目を含む保存完了通知を送付し、上記携帯型通信端末おいて上記保存完了通知における上記メールトゥ機能が選択されてメール作成画面が表示された際に、上記新たな宛先アドレスを上記携帯型通信端末のメール作成画面に引き渡して表示し、該新たな宛先アドレスを配信相手に対して送信する情報供給装置。
【請求項２３】
画像データと文章データとを有するＷｅｂデータを保存するデータ保存工程と、
上記Ｗｅｂデータに対して外部から該Ｗｅｂデータを参照するための宛先アドレスを付する情報付加工程と、
登録された利用者を認証するための認証工程と、
上記認証工程において認証された利用者によって以前に配信された上記Ｗｅｂデータの一覧情報を携帯型通信端末に対して送信する送信工程と、
上記Ｗｅｂデータの一覧情報の中から選択され変更されたＷｅｂデータに該Ｗｅｂデータを参照するための新たな宛先アドレスを付加して保存する保存工程と、
上記変更後のＷｅｂデータ及び上記新たなアドレスを上記データ保存手段に保存した際に、上記携帯型通信端末に対してメールトゥ機能を選択可能とするための項目を含む保存完了通知を送付し、上記携帯型通信端末おいて上記保存完了通知における上記メールトゥ機能が選択されてメール作成画面が表示された際に、上記新たな宛先アドレスを上記携帯型通信端末のメール作成画面に引き渡して表示し、該新たな宛先アドレスを配信相手に対して送信する送信工程とを有する情報供給方法。
【発明の詳細な説明】
【０００１】
【発明の属する技術分野】
本発明は、情報配信システム及び情報配信方法、情報供給装置及び情報供給方法、並びに情報処理端末及び情報処理方法に関し、特に、情報供給装置に保存されたデータに対して、携帯型通信端末において変更を加えることを可能とした情報配信システム及び情報配信方法、この情報配信システムに用いられる情報供給装置及び情報供給方法、並びにこの情報配信システムに用いられる情報処理端末及び情報処理方法に関する。
【０００２】
【従来の技術】
ネットワーク上に画像処理サーバを用意し、一旦この画像処理サーバを画像をアップロードし、アップロードした画像を携帯型情報処理端末で処理できるデータ量や色数に自動変換し、変換後の画像を携帯型情報処理端末へダウンロードして利用するサービスが行われている。
【０００３】
【発明が解決しようとする課題】
ところが、携帯型通信端末、特に、携帯型電話機では、画像データ処理能力が限られているために、従来のサービスでは、一旦アップロードした画像データは、高度な画像データ処理が可能なパーソナルコンピュータのような処理装置からでなければ、変更ができないという欠点があった。
【０００４】
また、従来の情報配信システムでは、画像処理サーバからダウンロードされるＷｅｂページに情報の配信先を直接入力しなければならず、利用者にとって、この入力作業は、煩わしいものであった。
【０００５】
そこで本発明は、このような従来の実情に鑑みて提案されたものであり、情報供給装置に保存されたデータを携帯型通信端末から閲覧し、これに変更を加えて、このデータを再度送信可能とする情報配信システム及び方法を提供することを目的とする。
【０００６】
【課題を解決するための手段】
上述した目的を達成するために、本発明に係る情報配信システムは、画像データと文章データとを有するＷｅｂデータを表示する表示手段とＷｅｂデータを送受するデータ送受信手段とメールトゥ機能とを有する携帯型通信端末と、Ｗｅｂデータの送受を保存するデータ保存手段と、Ｗｅｂデータに対して外部から該Ｗｅｂデータを参照するための宛先アドレスを付する情報付加手段と、登録された利用者を認証する認証手段と、を有する情報供給サーバとを備え、情報供給サーバは、携帯型通信端末との通信において認証手段により認証された利用者によって以前に配信されたＷｅｂデータの一覧情報を携帯型通信端末に送信するとともに、携帯型通信端末により一覧情報から選択され変更されたＷｅｂデータに該Ｗｅｂデータを参照するための新たな宛先アドレスを付加してデータ保存手段に保存し、携帯型通信端末に対してメールトゥ機能を選択可能とするための項目を含む保存完了通知を送付し、携帯型通信端末において保存完了通知におけるメールトゥ機能が選択されてメール作成画面が表示された際に、新たな宛先アドレスが携帯型通信端末のメール作成画面に引き渡されて表示され、該新たな宛先アドレスが配信相手に対して送信される。
【０００７】
また、上述した目的を達成するために、本発明に係る情報配信システムは、作成されたＷｅｂデータを保存するデータ保存手段と、Ｗｅｂデータに対して外部から該Ｗｅｂデータを参照するための宛先アドレスを付する情報付加手段と、登録された利用者を認証する認証手段とを有する情報供給サーバと、宛先アドレスが付加されたＷｅｂデータを取得するデータ取得手段と、Ｗｅｂデータを表示する表示手段とを有する複数の情報処理端末とを備え、第１の情報処理端末から第２の情報処理端末へＷｅｂデータを配信する情報配信システムにおいて、情報供給サーバは、第１の情報処理端末との通信において認証手段によって利用者を認証すると、該利用者によって以前に配信されたＷｅｂデータの一覧情報を第１の情報処理端末に送信するとともに、第１の情報処理端末により一覧情報から選択され変更されたＷｅｂデータに該Ｗｅｂデータを参照するための新たな宛先アドレスを付加してデータ保存手段に保存し、第１の情報処理端末に対してメールトゥ機能を選択可能とするための項目を含む保存完了通知を送付し、第１の情報処理端末において保存完了通知におけるメールトゥ機能が選択されてメール作成画面が表示された際に、新たな宛先アドレスが第１の情報処理端末のメール作成画面に引き渡されて表示され、該新たな宛先アドレスが第２の情報処理端末に対して送信される。
【０００８】
上述した目的を達成するために、本発明に係る情報配信方法は、画像データと文章データとを有するＷｅｂデータを表示デバイスに表示する表示工程とＷｅｂデータを送受するデータ送受信工程とを含む第１の情報処理工程と、Ｗｅｂデータを保存するデータ保存工程とＷｅｂデータに対して該Ｗｅｂデータを参照するための宛先アドレスを付する情報付加工程と、登録された利用者を認証する認証工程とを含む情報供給工程と、認証工程において利用者が認証されると保存されたＷｅｂデータを取得するデータ取得工程と、Ｗｅｂデータを表示する表示工程と、認証工程で認証された利用者によって以前に配信されたＷｅｂデータの一覧情報の中から選択され変更されたＷｅｂデータに該Ｗｅｂデータを参照するための新たな宛先アドレスを付加して保存する保存工程と、メールトゥ機能を選択可能とするための項目を含む保存完了通知を送付する保存完了通知送付工程と、利用者側で保存完了通知におけるメールトゥ機能が選択された際に、新たな宛先アドレスを利用者側のメール作成画面に引き渡して表示し、該新たな宛先アドレスを配信相手に対して送信する送信工程とを含む第２の情報処理工程とを有する。
【０００９】
また、上述した目的を達成するために、本発明に係る情報配信方法は、第１の情報処理端末から第２の情報処理端末へＷｅｂデータを配信する情報配信方法において、作成されたＷｅｂデータを保存するデータ保存工程と、Ｗｅｂデータに対して外部から該Ｗｅｂデータを参照するための宛先アドレスを付する情報付加工程と、登録された利用者を認証する認証工程と、認証工程で認証された利用者によって以前に配信されたＷｅｂデータの一覧情報を第１の情報処理端末に送信する送信工程とを含む情報供給工程と、宛先アドレスが付加されたＷｅｂデータを取得するデータ取得工程とＷｅｂデータを表示する表示工程とを含む情報処理工程とを有し、第１の情報処理端末により一覧情報から選択され変更されると該Ｗｅｂデータをデータ保存工程で保存し、メールトゥ機能を選択可能とするための項目を含む保存完了通知を送付し、保存完了通知におけるメールトゥ機能が選択された際に、該Ｗｅｂデータを参照するための新たな宛先アドレスを第１の情報処理端末のメール作成画面に引き渡して表示し、該新たな宛先アドレスを第１の情報処理端末から第２の情報処理端末へ送信する。
【００１０】
上述した目的を達成するために、本発明に係る情報供給装置は、画像データと文章データとを有するＷｅｂデータを保存するデータ保存手段と、Ｗｅｂデータに対して外部から該データを参照するための宛先アドレスを付する情報付加手段と、登録された利用者を認証するための認証手段と、認証手段により認証された利用者によって以前に配信されたＷｅｂデータの一覧情報および宛先アドレスを携帯型通信端末に対して送信する送信手段とを備え、情報付加手段は、携帯型通信端末において変更された文章データを含む変更後のデータに対して新たな宛先アドレスを付加し、送信手段は、変更後のＷｅｂデータ及び新たなアドレスをデータ保存手段に保存した際に、携帯型通信端末に対してメールトゥ機能を選択可能とするための項目を含む保存完了通知を送付し、携帯型通信端末おいて保存完了通知におけるメールトゥ機能が選択されてメール作成画面が表示された際に、新たな宛先アドレスを携帯型通信端末のメール作成画面に引き渡して表示し、該新たな宛先アドレスを配信相手に対して送信する。
【００１１】
また、上述した目的を達成するために、本発明に係る情報供給方法は、画像データと文章データとを有するＷｅｂデータを保存するデータ保存工程と、Ｗｅｂデータに対して外部から該Ｗｅｂデータを参照するための宛先アドレスを付する情報付加工程と、登録された利用者を認証するための認証工程と、認証工程において認証された利用者によって以前に配信されたＷｅｂデータの一覧情報を携帯型通信端末に対して送信する送信工程と、Ｗｅｂデータの一覧情報の中から選択され変更されたＷｅｂデータに該Ｗｅｂデータを参照するための新たな宛先アドレスを付加して保存する保存工程と、変更後のＷｅｂデータ及び新たなアドレスをデータ保存手段に保存した際に、携帯型通信端末に対してメールトゥ機能を選択可能とするための項目を含む保存完了通知を送付し、携帯型通信端末おいて保存完了通知におけるメールトゥ機能が選択されてメール作成画面が表示された際に、新たな宛先アドレスを携帯型通信端末のメール作成画面に引き渡して表示し、該新たな宛先アドレスを配信相手に対して送信する送信工程とを有する。
【００１４】
【発明の実施の形態】
本発明の具体例として示す情報配信システムは、予め利用登録を行うことによって利用可能となる画像データ配信機能を用いて、登録した利用者が所望とする配信相手に対して画像データを配信できるシステムである。また、本具体例として示す情報配信システムでは、配信するデータを標準形式のデータとして一旦保存し、配信先の通信端末から送信要求があった場合、該通信端末に応じて最適な画像データ形式に変換して送信することができるものである。また、この情報配信システムは、利用者が予め登録を行った際の利用者登録情報を用いることによって、利用者及び利用者が所望とする情報配信相手に対して、最適なコンテンツ情報を配信することもできる。
【００１５】
以下、本発明の実施の形態について、図面を参照して具体的に説明する。
【００１６】
本発明の具体例として示す情報配信システム１は、図１に示すように、画像データ処理機能と通信機能とを有する画像データ処理装置１１と、画像データ処理装置１１から送信された画像データを蓄積するサーバ１２と、携帯型電話機１５と互いに携帯電話通信網１４によって接続された携帯電話基地局１３とを備え、画像データ処理装置１１、サーバ１２及び携帯電話基地局１３が互いに有線ネットワーク網１６によって接続された画像データ配信システムを利用して広告情報を配信するシステムである。
【００１７】
ここで、有線ネットワーク網１６は、いわゆるインターネットである。また、携帯型電話機１５は、携帯電話基地局１３を介して有線ネットワーク網１６に接続可能な携帯型電話機である。
【００１８】
画像データ処理装置１１は、例えば、ソフトウェアによる処理、或いはハードウェア構成によって、画像データに対して種々の画像処理を施すことができるパーソナルコンピュータである。画像データ処理装置１１には、汎用のインターフェイスを用いることで、デジタルビデオカメラ、デジタルスチルカメラ等のデジタル画像撮像装置１７が接続でき、デジタル画像撮像装置１７において撮像された画像データを受け取れるようになっている。また、画像データ処理装置１１は、ＣＤ（Compact Disc）、ＤＶＤ（Digital Versatile Disc）等に代表される光学式ディスク状記録媒体、ＦＤ（Flexible Disk）に代表される磁気記録媒体等の記録媒体１８ａ、又はフラッシュメモリ（登録商標）やメモリスティック（登録商標）等に代表される半導体記憶装置１８ｂのそれぞれに対応するドライバ装置を備えており、記録媒体１８ａ又は半導体記憶装置１８ｂからも画像データを読み込むことができる。
【００１９】
なお、上述の構成では、画像データ処理装置１１に画像データを一旦読み込むとしているが、画像データ処理装置１１を含まないシステム構成も可能である。この場合は、デジタル画像撮像装置１７に、例えば携帯型電話機を接続し、画像データを配信先の携帯型電話機１５へ直接転送する。デジタル画像撮像装置１７と携帯型電話機とを接続するのは、デジタル画像撮像装置１７を有線ネットワーク網１６へ接続する手段の一例であって、携帯型電話機の代わりに固定電話等を用いてもよい。また、デジタル画像撮像装置１７自体に有線ネットワーク網１６への接続手段が備えられていてもよい。更に、デジタル画像撮像装置１７は、カメラやスキャナといった装置に限らず、ＣＣＤ（Charge Coupled Device）カメラ内蔵ＰＤＡ（Personal Digital Assistant）や、ＣＣＤカメラ内蔵携帯型電話機であってもよい。
【００２０】
画像データ処理装置１１は、デジタル画像撮像装置１７、記録媒体１８ａ、又は半導体記憶装置１８ｂから画像データを読み込み、標準形式の画像データへ変換する。標準形式の画像データへの変換は、例えば、この情報配信システムを提供する提供者によって配布される専用の変換ソフトウェアによって行うことができる。標準形式の画像データとは、携帯型電話機１５において処理可能なデータ量、画像データファイル形式等を有する画像データを示す。ここでの「標準形式」とは、本具体例として示す情報配信システムの基本となる画像データ配信システムにおける「標準」を意味する。本具体例では、画像データの劣化、データ損失等を最小とすることを考慮し、可逆圧縮であるＧＩＦ（Graphics Interchange Format）ファイル形式を適用し、且つデータ量が１０ｋＢ以下になるような画像データとしている。
【００２１】
このように、情報配信システム１では、予め所定形式の標準画像データに変換してデータ量を制限した後にサーバ１２に伝送するため、画像データをサーバに伝送するに際して、接続時間が短縮される。また、サーバ１２の容量が節約されるという利点がある。
【００２２】
ただし、標準画像データとして採用する画像データファイル形式、画像サイズ、データ量等は、例えば、携帯電話サービスを提供している複数の電話会社のうち、多数派の電話会社の定める規格に合わせるというように、種々の選択が可能である。
【００２３】
利用者は、画像データ処理装置１１を用いて、所望の画像データを上述した標準形式の画像データに変換するとともに、画像データに添付したい文章データを作成する。画像データ処理装置１１では、変換ソフトウェアによって、画像データと文章データとが含まれた画像／文章データが作成される。画像／文章データは、例えば、マルチパート／フォーム・データ（Multipart/Form-data）形式のＷｅｂページデータとして記述されている。サーバ１２へは、この画像／文章データが送信される。
【００２４】
サーバ１２には、有線ネットワーク網１６を介して該サーバ１２にアクセスした接続者が該画像データ配信システムを利用するための登録を済ませた利用者であるかを認証するための認証ＩＤとパスワードとを保存する認証用サーバ１９と、利用登録済の利用者情報を蓄積した利用者情報データベース２０とが接続されている。
【００２５】
利用者の認証方法としては、例えば、登録時に画像データ配信システムのサービス提供者がサービス利用登録を行った利用者に対して予め発行した認証ＩＤとパスワードとを、アクセス時に認証する方法が考えられる。
【００２６】
利用者登録の方法としては、例えば、有線ネットワーク網１６を介してサーバ１２からパーソナルコンピュータ等に送られるＷｅｂページに必要事項を記入する方式や、デジタル画像撮像装置１７に利用者登録の申込書を付属して販売する方式、また、ファクシミリ、電話或いは申込葉書の郵送等で申し込む方式等がある。利用者が登録する際に、登録を希望する利用者から利用者情報を取得する。利用登録がなされると、サービス提供者から認証ＩＤとパスワードとが、例えば、郵送やファクシミリ等によって利用者のもとに送達される。
【００２７】
サーバ１２は、図２に示すように、有線ネットワーク網１６を介して伝送される画像データ、認証ＩＤ及びパスワード等を受け取るネットワークインターフェイス部（以下、ネットワークＩ／Ｆ部と記す。）２１と、受け取った各データを一時的に保存する一時メモリ２２と、受け取った認証ＩＤ及びパスワードと認証用サーバ１９に保存された認証用データとを照合する認証部２３と、利用者から送られた画像／文章データにデータ蓄積部２５での記憶位置を示す宛先アドレスとしてのＵＲＬ（Uniform Resource Locator）を付するアドレス付加部２４と、画像／文章データを蓄積するデータ蓄積部２５と、携帯型電話機１５との間の通信を管理するＷｅｂデータ管理部２６と、利用者が画像データの配信を指定した配信先に対して画像データが蓄積された保存場所を示すＵＲＬを送信する通信部２７と、配信先の端末に応じて送信Ｗｅｂデータを変換するＷｅｂデータ変換処理部２８とを備える。これらは、図示しないが制御部によって統括されている。
【００２８】
画像／文章データは、本具体例では、画像データ処理装置１１においてマルチパート／フォーム・データ（Multipart/Form-data）形式のＷｅｂページデータに変換されて送信されサーバ１２で受信された後、ＨＴＭＬ（Hyper Text Markup Language）形式等のデータに変換される。
【００２９】
ただし、サーバ１２のデータ蓄積部２５において蓄積される際のデータ形式は、特に限定されない。例えば、マルチパート／フォーム・データ形式のままで蓄積してもよいし、画像／文章データのうち画像データと文章データとを分離し、更に文章データに関しては、例えば、タイトルデータ、本文内容データ等を個別に格納することもできる。各データを分離して蓄積する場合、配信先の携帯型電話機１５に対して送出する際にＨＴＭＬ形式等のデータ形式に基づいて、これらのデータを再度組み立てて送信する。画像／文章データのうちの各データを分離して蓄積すれば、配信先の携帯型電話機に最適なデータ形式に変換して送信する場合の変換処理にかかる効率が上がるという利点がある。
【００３０】
Ｗｅｂデータ変換処理部２８は、具体的には、サーバ１２内で外部プログラムを利用するためのＣＧＩ（Common Gateway Interface）であって、図３に示すように、配信先の携帯型電話機１５で用いるＷｅｂデータの記述言語を判別する記述言語判別回路２０１と、配信先の携帯型電話機１５の画像データ形式を判別する画像データ判別回路２０２と、端末の機種と画像データ等の規格とがテーブルとして記憶された端末データテーブル２０３と、記述言語判別回路２０１及び画像データ判別回路２０２における判別結果に対応する画像処理を施す画像処理回路２０４とを有している。
【００３１】
記述言語判別回路２０１は、携帯型電話機１５からのテキストデータリクエスト信号Ｃ１を受信すると、この信号から通信サービス提供者及び端末機種を判別し、端末データテーブル２０３から判別結果に対応した記述言語を抽出し、この形式に変換してテキストデータレスポンス信号Ｃ２を送信する。記述言語としては、例えば、ＨＴＭＬ（Hyper Text Markup Language）形式、又はＨＤＭＬ（Handheld Device Markup Language）形式等がある。
【００３２】
画像データ判別回路２０２は、携帯型電話機１５からの画像データリクエスト信号Ｃ３を受信すると、この信号から通信サービス提供者及び端末機種を判別し、端末データテーブル２０３から判別結果に対応した画像データ形式を抽出して、この画像データ形式に変換し、画像データレスポンス信号Ｃ４を送信する。ここでは、ＧＩＦ形式、ＰＮＧ形式等の画像データファイル形式や、ピクセルサイズの指定等を含めて画像データ形式と呼称する。
【００３３】
なお、本具体例では、利用者からの画像データは、上述したように画像データ処理装置１１において、既に所定の通信サービス提供者Ａの規格、すなわちＧＩＦ形式でデータ量が１０ｋＢ以下になるように変換された状態で送信され、データ蓄積部２５に保存されている。
【００３４】
ここで、Ｗｅｂデータ変換処理部２８のＷｅｂデータに含まれる画像データ及び記述言語変換を変換する処理を図４を用いて説明する。本具体例では、３つの通信サービス提供者Ａ，Ｂ，Ｃがあって、情報配信システム１は、この三者の規格の違いを判別し、個々の携帯型電話機に最適な画像／文章データに変換して送信する場合である。
【００３５】
サーバ１２は、ある携帯型電話機からのアクセスコマンド（テキストデータリクエスト信号）を受け取ると、サーバ１２内の処理としてＷｅｂデータ変換処理部２８では、ステップＳ１において、通信サービス提供者を判別する。
【００３６】
記述言語判別回路２０３は、提供者ＡであればステップＳ２において、また提供者ＢであればステップＳ３において、ＨＴＭＬ形式のデータとしてＷｅｂデータを送信する。また、提供者Ｃの場合、ステップＳ４において、記述言語判別回路２０３は、ＨＤＭＬ形式のデータとしてＷｅｂデータを送信する。
【００３７】
携帯型電話機に対してＨＴＭＬ又はＨＤＭＬ形式でテキストデータが送信されると、携帯型電話機からは、ステップＳ５において、画像データリクエスト信号が送られる。
【００３８】
Ｗｅｂデータ変換処理部２８では、画像データ判別回路２０２において、通信サービス提供者と端末機種とが判別され（ステップＳ６）、端末データテーブル２０３に記憶された対応テーブルから抽出される画像データ形式に変換されて（ステップＳ７）出力される。
【００３９】
Ｗｅｂデータ変換処理部２８における上述した一連の処理は、ソフトウェアによって実行するものであってもよく、サーバ１２の制御部において実行することもできる。
【００４０】
更に、画像データの判別に関して、図５乃至図８を用いて詳細に説明する。図４のステップＳ１に示す端末判別において、サーバ１２にアクセスコマンドを送信した携帯型電話機が提供者Ｂ又は提供者Ｃであった場合、ステップＳ１０及びステップＳ１１において、提供者Ｂであるか提供者Ｃであるかが判別される。提供者Ｂ又は提供者Ｃであるときは、ステップＳ１２に進み、画像／文章データのうちＧＩＦ形式の画像データをデコードし、更にステップＳ１３においてリサイズ処理を行う。リサイズ処理の詳細については後述する。
【００４１】
続いて、ファイルサイズを規定以下にするためにステップＳ１４、ステップＳ１５において、減色処理、ＰＮＧファイル化処理を行う。ステップＳ１６において、ファイルサイズが規定以下か否かの判別をし、ファイルサイズが規定範囲に収まっていない場合、ステップＳ１４及びステップＳ１５の工程を繰り返す。画像／文章データが規定範囲以下の場合、携帯型電話機に対して出力される。
【００４２】
一方、ステップＳ１１において、提供者Ａ，Ｂ，Ｃのいずれの規格でもない携帯型電話機であると判別された場合、ステップＳ１７において、この携帯型電話機の画像データの規格が、例えばファイルサイズ４．３ｋＢ以下且つピクセルサイズ８０×７２以下であるかの判別を行う。このサイズに適合する場合、ステップＳ１８において、データ蓄積部２５に保存された画像データ形式のままで出力される。ここで、ファイルサイズ４．３ｋＢ以下且つピクセルサイズ８０×７２以下という画像データの規格は、提供者Ａの規格に対応した携帯型電話機では必ず表示できるサイズである。
【００４３】
ステップＳ１７において、ファイルサイズ４．３ｋＢ以下でピクセルサイズ８０×７２以下でないと判別された場合、図６に続くステップＳ１９において、更に携帯型電話機で表示可能なサイズが１０ｋＢであり、画像データのファイルサイズが８．８ｋＢ以下であり、且つピクセルサイズが１２０×１０８以下であるか否かが判別される。この条件に適合している場合、ステップＳ２０において、データ蓄積部２５に保存された画像データ形式のままで出力される。
【００４４】
携帯型電話機で表示可能なサイズが１０ｋＢであり、画像データのファイルサイズが８．８ｋＢ以下であり、且つピクセルサイズが１２０×１０８以下に適合しない場合、ステップＳ２１において、ＧＩＦ形式からデコードし、更に、ステップＳ２２において、この画像データに適合するようにリサイズ処理を行う。ステップＳ２３において、リサイズした画像データをＧＩＦ形式にエンコードして出力する。
【００４５】
上述したリサイズ処理を図７に示す。ステップＳ３０において、画像データ判別回路２０２は、端末データテーブル２０３からリサイズ後の画像データの画枠サイズを抽出する。
【００４６】
続いて、ステップＳ３１において、画像データの縦横の比率が判別される。縦横の長さの比率が１０：９（横：縦）より大きい場合、ステップＳ３２において、縦の長さが端末データテーブル２０３に定義されたデータサイズになるようにリサイズする。縦横の長さの比率が１０：９（横：縦）より小さい場合、横の長さが端末データテーブル２０３に定義されたデータサイズになるようにリサイズする。なお、ここでの画像データの縦横比率１０：９（横：縦）は、データ蓄積部２５に保存されている画像データの縦横比率である。
【００４７】
また、エンコード処理を図８に示す。エンコード処理では、先ず、ステップＳ４０において、色数が判別される。ここで色数が２である場合、ｂに続くステップＳ４７の処理に進む。色数が２ではない場合、ステップＳ４１において、この携帯型電話機がモノクロ表示機種であるか否かの判別を行う。モノクロ表示である場合、後述するステップＳ４６の処理に進む。
【００４８】
携帯型電話機がモノクロ表示の端末ではない場合、ステップＳ４２において、画像データの減色処理を実行し、ステップＳ４３においてＧＩＦ形式に変更する。
【００４９】
ステップＳ４４においてファイルサイズが規定サイズ以下であるか否かを判別する。ファイルサイズが規定サイズ以下の場合、図６に示す処理に戻る。規定サイズ以上である場合、ステップＳ４５において、色数が８色以下であるか否かの判別を行う。色数が８色以下でない場合、ステップＳ４２へ戻って、減色処理を実行する。色数が８色以下の場合、ステップＳ４６に進み、白黒２値化を行い、続いて、ステップＳ４７においてＧＩＦ形式へと変換し、ステップＳ４８において、ファイルサイズの確認を行う。ファイルサイズが規定値以下の場合、図６に示す処理に戻る。一連の処理を実行してもファイルサイズが規定値以下にならない場合、エラー処理に移る。
【００５０】
上述した情報配信システムでは、画像データの配信先の携帯型電話機の画像表示規格に対応する画像データファイル形式に自動的に変換して出力している。また、本具体例では、データ蓄積部２５に保存する標準画像データ形式として通信サービス提供者Ａの画像データ形式の規格を採用することによって、提供者Ａの通信サービスを受けている携帯型電話機に対しては、画像データの変換処理を行わなくともよい場合があるため処理が簡略化されるという利点もある。
【００５１】
更に、従来は、通信サービス提供者毎のデータ互換性が乏しかったため、携帯型電話機に対して配信するデータに応じて、各通信サービス提供者毎にソースを設ける必要があったが、本発明を実現した情報配信システム１によれば、データの配信先の携帯型電話機の画像表示規格に対応するデータファイル形式に自動的に変換して出力できるため１つのソースを設ければよく、システムが簡素化され、システム設計及びシステム構築にかかるコスト面での利便性が向上する。
【００５２】
本発明に係る情報配信システムは、以上説明したような端末判別を適用することによって、通信サービス提供者の異なる各携帯型電話機に対しても、共通したコンテンツ情報配信サービスを提供することができる。
【００５３】
次に、本発明の具体例として示す情報配信システム２を用いて、登録した利用者及び利用者が所望とする送信相手に対して、最適なコンテンツ情報を配信する場合に関して説明する。本具体例では、コンテンツ情報が、特に広告情報である場合について説明する。この場合、コンテンツ情報としての広告情報には、動画及び静止画を含む画像情報、音声情報、文字情報等が含まれる。すなわち、以下に示す具体例は、情報配信システム１を適用した広告情報配信システムである。
【００５４】
情報配信システム２は、図１に示した情報配信システム１を適用しており同様の構成を備えるため、同一の機能及び作用を有する構成要素に関しては、同一の番号を付して詳細な説明は省略する。
【００５５】
情報配信システム２における特徴点は、図９に示すように、サーバ１２に広告情報を蓄積する広告情報蓄積部２９と、広告情報を選択して画像／文章データに添付する広告情報付加部３０とを備えている点である。ただし、サーバ１２の構成において、広告情報蓄積部２９は、サーバ１２の一部として構成されていなくともよい。また、広告情報付加部３０の位置は、特に限定されない。
【００５６】
すなわち、広告情報を含むＷｅｂページを作成するにあたっては、利用者の画像データ処理装置１１から送信された画像／文章データに広告情報を付したものに、保存場所を示すアドレスを付加してデータ蓄積部２５に蓄積してもよいし、画像データ処理装置１１から送信された画像／文章データをデータ蓄積部２５に蓄積し、この画像／文章データを配信する際に、広告情報を付加して配信するようにしてもよい。
【００５７】
本発明の具体例として示す情報配信システム２における広告情報配信の流れを図１０にしたがって説明する。
【００５８】
利用者は、先ず、画像データ処理装置１１において、所望の画像データ及び文章データから配信用の画像／文章データを作成する。このとき画像データ処理装置１１において画像／文章データ作成画面として用いられるＧＵＩ（Grephic User Interface）の一例を図１１に示す。
【００５９】
図１１のＧＵＩには、主として、差出人を入力及び／又は変更するための入力画面へ切り換えるため差出人変更ボタン３１、配信相手の宛先を表示する表示欄３２、画像データに添えるメッセージを入力する入力欄３３、画像の表示及び画像の変更を行うための画像表示欄３４が表示されている。このほかにも、今すぐ配信するか否か等の配信タイミングを指定する配信予約欄３５、予め用意された定型文章の選択肢の中から所望とする文章を選択するためのチェックボックス３６等が表示される。利用者は、図１１に示すＧＵＩ画面上で配信を希望する画像／文章データを編集する。
【００６０】
利用者がサーバ１２に接続し、事前に利用者に対して発行された認証ＩＤ及びパスワードを送信すると、サーバ１２では利用者登録済か否かの判別と利用者の認証とを行う。
【００６１】
サーバ１２は、利用者が登録済であることを確認すると、画像／文章データを受け取り、この画像／文章データを送信した利用者に対して、画像／文章データを受信した旨の確認通知（以下、送信結果と記す。）に利用者情報に基づいた広告情報９０を添付して送信する。
【００６２】
図１２に、送信結果として送信されるＷｅｂ画面を示す。送信結果４０には、画像／文章データを預かったという通知４１が表示され、広告画像４２、広告画像４３及び広告画像４４と、チェックボックス付き文章広告４５と、文章広告４６とが添付されてくる。ここで添付される広告情報は、利用者情報に基づいたものであり、例えば、利用者の性別、年齢、利用者が所有しているデジタル画像撮像装置１７やパーソナルコンピュータの周辺機器の広告や、過去の物品の購入記録に基づいた商品の広告等である。
【００６３】
また、ここでは、チェックボックス付き文章広告４５は、「友達にも教えてあげる」旨を指定するチェックボックスであって、このチェックボックスが選択された場合、相手に配信される画像／文章データに対して、同様の広告が添付される。情報配信システム２では、チェックボックス３６及びチェックボックス付き文章広告４５等のように提供者側で用意した定型文が選択された場合、この項目に連動して、チェックボックスによって選択された定型文に関連した内容の広告情報を相手に対して効率よく送信することができる。また、チェックボックス付き文章広告４５にのように、画像／文章データを配信したい相手に応じて選択可能な広告情報を設けることにより、利用者と配信相手との間で情報を共有化することもできる。
【００６４】
サーバ１２は、利用者から最新の画像／文章データが送信されると、配信相手の携帯型電話機１５に対して、図１０に示すように、広告情報９１を含む画像預かり通知を送信する。
【００６５】
このとき相手先の携帯型電話機１５に送信される預かり通知画面を図１３に示す。預かり通知画面５０には、利用者から画像／文章データを預かっている旨のメッセージ５１と、サーバ１２に保存された画像／文章データをみるためのＵＲＬ５２とが表示され、更に、文字広告５３が添付されている。このＵＲＬは、図２及び図９に示したアドレス付加部２４において付された画像／文章データのデータ蓄積部２５における記録位置を示したＵＲＬである。
【００６６】
文字広告５３には、更に、広告の詳細を示したＷｅｂページを示すＵＲＬ５４を付けることもできる。配信相手は、ＵＲＬ５４を選択することによって、文章広告の詳細を示したＷｅｂページに進むことができる。
【００６７】
配信相手は、携帯型電話機１５を操作してＵＲＬ５２を選択することによって、携帯型電話機１５で利用者から送信された画像／文字データをＷｅｂページとして取得する。図１０に示すように、このＷｅｂページには広告情報９２が含まれている。
【００６８】
このとき表示されるＷｅｂページを図１４に示す。Ｗｅｂページ６０には、利用者からの画像データ６１と、文章データ６２と、広告情報６３とが表示されている。ここでは、Ｗｅｂページ６０に表示される広告情報６３は、利用者が送信結果４０上で「友達にも教えてあげる」のチェックボックスを選択した広告であるが、これ以外の広告情報を含んでいてもよい。
【００６９】
このように、情報配信システム２は、利用者情報に基づく広告情報を添付することによって個人個人に必要な広告情報のみを提供できるため、ある広告情報を不特定多数の利用者に配信するよりも広告宣伝効果を向上することができる。
【００７０】
本発明に係る情報配信システムは、上述したように、画像データ配信システムの利用者が、例えばパーソナルコンピュータを用いて処理された画像データを相手の携帯型電話機に配信する際に、利用者及び配信相手に広告情報を配布するものであるが、利用者が画像データ処理装置１１を用いて送信した画像データの履歴に対して、利用者が所有する携帯型電話機からアクセスし、呼び出し、これを編集して再送信できるような画像データ配信システムとしても応用できる。
【００７１】
本発明の別の具体例として示す情報配信システム３は、図１５に示すように、図１に示したシステム構成に加えて、利用者の携帯型電話機７０を備えて構成されており、利用者の所有する携帯型電話機７０から画像／文章データを編集できる点が特徴的である。図１５に示す情報配信システム２において、図１に示す情報配信システム１と同様の機能を有する構成に関しては、同一の番号を付して詳細な説明を省略する。
【００７２】
情報配信システム３は、予め利用登録を行うことによって利用可能となる画像データ配信システムを用いて、利用登録の内容に基づいて、登録した利用者及び利用者が画像データを送信したい相手に対して最適な広告情報を配信する情報配信システムであって、情報配信システム３は、画像データを表示する表示部と通信機能とを有する、利用者が所有する携帯型電話機７０と、画像データ処理機能と通信機能とを有する画像データ処理装置１１と、画像データ処理装置１１から送信された画像データを蓄積するサーバ１２と、携帯型電話機１５と互いに携帯電話通信網１４によって接続された携帯電話基地局１３とを備える。ここで、利用者が所有する携帯型電話機７０は、携帯型電話機１５と同様、携帯電話通信網によって有線ネットワーク網１６と接続されているものとする。ここで、有線ネットワーク網１６は、いわゆるインターネットである。
【００７３】
上述した情報配信システム３における情報配信の流れを図１６及び図１７にしたがって説明する。
【００７４】
利用者は、携帯型電話機７０を用いてサーバ１２に接続する。最初に情報配信サービスの提供ページに接続し、指定されたＵＲＬを選択して情報配信サービスのトップページに進む（ステップＳ５１）。このとき表示される画像データ配信サービスのＷｅｂページの例を図１８に示す。携帯型電話機７０は、サーバ１２からページトップ１０１を取得する。
【００７５】
トップページ１０１において「履歴表示」を選択することによって（ステップＳ５２）、図１９に示す画像データ配信サービスの登録認証入力表示１０２に進むことができる。登録認証入力表示１０２には、認証ＩＤ及びパスワードを入力する旨のメッセージ１０３と、認証ＩＤ入力欄１０４と、パスワード入力欄１０５とが表示されている。更に、登録認証入力表示１０２には、処理を進める「次へ」ボタン１０６と、ページトップ１０１へ戻るボタン１０７が表示されている。
【００７６】
携帯型電話機７０とサーバ１２との間の通信は、定型書式によって転送される文章を暗号化する機能、例えば、ＳＳＬ（Security Sockets Layer）のようなセキュリティ技術によって秘匿されている。これにより、サーバ１２が配信先端末に応じた形式の文書を送付する前に、相手（携帯型電話機７０）の署名や暗号等の確認を相互に行うことによって、通信の安全性を確保している。したがって、本具体例では、ＳＳＬに対応していない機種からの応答であった場合、図２０に示すようなエラーメッセージを表示する。
【００７７】
サーバ１２は、利用者によって認証ＩＤ入力欄１０４及びパスワード入力欄１０５に入力（ステップＳ５３）されて、「次へ」ボタン１０６により決定された（ステップＳ５４）認証ＩＤ及びパスワードを確認すると、利用者の携帯型電話機７０に預かり画像一覧表示１０８を送付する（ステップＳ５５）。なお、利用者が本サービスに未登録の場合は、表示されない。また、認証ＩＤ及びパスワードの誤入力により預かり画像一覧表示１０８を表示できない場合もある。この場合は、図２１及び図２２に示すエラーメッセージが表示され、ステップＳ５３に戻る。
【００７８】
預かり一覧表示の一例を図２３に示す。預かり画像一覧表示１０８には、以前に配信された画像／文章データの、例えばタイトルのような表示内容を示す一覧と、ページトップ１０１へ戻るボタン１０９とが表示されている。ここで画像／文章データの表示内容を示す一覧から利用者によって選択されると（ステップＳ５６）、選択された表示内容に対応する画像／文章データが表示される（ステップＳ５７）。
【００７９】
図２４には、利用者によって選択された画像／文章データ１１０の例が示されている。画像／文章データ１１０には、画像データ１１１と、文章データ１１２と、これらを編集するための編集ボタン１１３と、ページトップ１０１或いは前ページに戻るための選択ボタン１１４とが表示されている。編集ボタン１１３が選択されると（ステップＳ５８）、図２５に示す編集画面１１５へ進む（ステップＳ５９）。
【００８０】
編集画面１１５には、画像データ１１１と、操作説明を示すメッセージ１１６と、この画像／文章データのタイトルを変更するためのタイトル入力欄１１７と、メッセージ入力欄１１８とが表示されている。利用者は、タイトル入力欄１１７及びメッセージ入力欄１１８に変更したい内容を携帯型電話機７０の入力部から入力し、保存ボタン１１９を選択することによって、タイトル及びメッセージを変更することができる。また、この編集画面１１５において、画像データに対する簡単な編集が行えるようにすることもできる。
【００８１】
このほかにも、編集画面１１５には、複数の定型文がチェックボックス付き文章１２０として用意されている。利用者によってチェックボックス付き文章が選択されると、サーバ１２における広告情報付加部３０では、文章内容に応じた広告情報が添付される。編集画面１１５には、更にページトップ１０１或いは預かり画像一覧表示１０８へ戻るための選択ボタン１２１が表示される。
【００８２】
ステップＳ５７において表示される画像／文章データ１１０で選択ボタン１１４の中から、画像の送信先が選択された場合、ステップＳ６０に進み、図２６に示す送信先一覧表が表示される。ステップＳ６１において送信先が確認されると、画像／文章データ１１０に戻る。また、送信先が登録されていない場合は、ステップＳ６２に進み、図２７に示す送信先確認メッセージを表示して、画像／文章データ１１０に戻る。
【００８３】
以上の操作によって、一旦記憶された画像／文章データから選択された画像／文章データの編集が終了すると、サーバ１２は、利用者の携帯型電話機７０に対して、図１６に示すように、広告情報９３を添付して画像を預かった旨を示す保存完了通知を送付する（ステップＳ６３）。
【００８４】
図２８に保存完了通知１２２の例を示す。保存完了通知１２２には、画像／文章データを預かった旨のメッセージ１２３と、保存された画像／文章データの配信先を指定する入力欄１２４とが表示され、更に、利用者情報に基づいて抽出された広告情報１２５が添付される。広告情報１２５には、該広告情報１２５の詳細を示したＵＲＬ１２６が添付される場合もある。広告情報１２５は、図１６における広告情報９３に相当する。ここでの広告情報１２５は、利用者から登録時に取得した利用者情報、すなわち利用者の認証ＩＤ及びパスワードに基づいて抽出される広告情報であり、例えば、利用者の性別、年齢、利用者が所有している携帯型電話機７０の周辺機器、過去の物品の購入記録履歴に基づいた情報等から抽出された広告情報である。
【００８５】
保存完了した画像／文章データの配信先を選択するに際しては、入力欄１２４に配信先のアドレスを直接入力することもできるし、一般的な携帯型電話機の規格として定められている、いわゆる「メールトゥ（Mail to）機能」を選択することもできる。
【００８６】
メールトゥ機能が選択された場合、この後の入力動作が携帯型電話機側の制御に委ねられる（ステップＳ６４）。携帯型電話機のアドレス記憶機能やメール文章作成画面が使用可能となる。メールトゥ機能を選択することによって、図２９に示すようなメール文章作成画面が表示される。つまり、携帯型電話機７０のメール機能に制御が移行される。この場合、図２９に示すメール作成画面１２５に、編集した画像／文章データの新規保存場所を示すＵＲＬ１２６が引き渡されて表示される。この後は、通常のメール機能によって、サーバ１２に保存された画像／文章データのＵＲＬが配信相手に対して送信される。
【００８７】
一方、入力欄１２４に配信先のアドレスを直接入力した場合、図１３に示した画面構成のページが配信相手に対して送信される。このとき、図１６に示すように、広告情報９４を添付することができる。
【００８８】
配信相手は、送信されたＵＲＬを選択することによって、利用者からの画像／文章データをみることができる。配信相手が取得する画像／文章データには、図１６に示すように、広告情報９５が添付されている。このとき、配信相手には、図１４と同様の画像／文章データが送られる。
【００８９】
パーソナルコンピュータのような情報処理端末の場合、ユーザは、表示操作、例えば、表示窓の大きさを変更したり、表示窓の配置を変更することによって、Ｗｅｂページを開きながら同時にほかの表示を閲覧することができるが、携帯型電話機のような表示画面の狭い情報処理端末や、表示機能に乏しい情報処理端末では、一旦表示窓を閉じることでほかの表示をみなくてはならない。
【００９０】
電子メール等の宛先アドレスを携帯型電話機のアドレス機能に登録しているユーザにとって、Ｗｅｂページ上にアドレスを入力しなくてはならないような場合、この操作は煩雑なものになる。
【００９１】
情報配信システム３では、メールトゥ機能によって、画像／文章データのサーバ１２における保存場所を示すＵＲＬを携帯型電話機の通常のメール作成画面１２５に表示できるため、携帯型電話機の機能として設けられているアドレス帳を同時に使用できる点が特徴的である。また、携帯型電話機のほかにも、表示画面の狭い情報処理端末や表示機能に乏しい情報処理端末に対しても、本発明に係る情報配信システムは、好適に用いられる。
【００９２】
また、情報配信システム１によれば、Ｗｅｂページのような画像／文章データを編集する機能を備えていないような携帯型電話機を用いて、サーバ１２に保存された画像／文章データを閲覧し、更にこれを編集して再度送信することが可能である。
【００９３】
上述したトップページ１０１からは、「履歴表示」のほかに「機能説明」、「対応機種確認（ＳＳＬ確認）」、「登録解除」が選択できる。これらが選択された場合の処理について以下に説明する。
【００９４】
図１８に示したトップページ１０１において、「機能説明」が選択されると、図３０に示す処理が実行される。すなわち、「機能説明」が選択されると（ステップＳ７１）、機能説明画面が表示され（ステップＳ７２）、戻る操作によってトップページ１０１に戻ることができる。
【００９５】
また、図１８に示したトップページ１０１において、「対応機種確認」が選択されると（ステップＳ８１）、図３１に示す処理にしたがって、利用者の携帯型電話機７０の機種がＳＳＬに対応していれば、ステップＳ８２において、対応している旨のメッセージを表示し、対応していない機種であれば、ステップＳ８３において、図２０に示したエラーメッセージを表示する。
【００９６】
また、「登録解除」が選択された場合、図３２に示す処理が実行される。登録解除が選択されると（ステップＳ９１）、予め登録がなされていない場合は、ステップＳ９２において、図２１に示すメッセージが表示される。登録されていれば、ステップＳ９３において、利用者に対して認証ＩＤ及びパスワードの入力が促される。
【００９７】
認証ＩＤ及びパスワードが入力されると、ステップＳ９４において、認証ＩＤ及びパスワードが確認される。誤入力であった場合、ステップＳ９５において、図２２に示すエラーメッセージが表示される。また、未登録であれば、ステップＳ９６において、図３３に示す登録されていない旨の表示がされる。認証ＩＤ及びパスワードが確認されれば、ステップＳ９７において登録解除の確認がされ、ステップＳ９８において登録解除が完了する。
【００９８】
なお、本発明は上述した実施の形態のみに限定されるものではなく、本発明の要旨を逸脱しない範囲において種々の変更が可能であることは勿論である。本発明における携帯型通信端末は、例えば、ＰＤＡ（Personal Digital Assistant）、携帯型パーソナルコンピュータ等のように、データ処理機能や通信機能等を備えていればよく、携帯型電話機に限定されない。また、説明に用いた画面表示は、一例であって、表示のしかたは限定されない。
【００９９】
また、一般的な情報処理端末間の通信の場合であっても、一旦サーバにアップロードされたＷｅｂデータを編集して、編集後の新規Ｗｅｂページを保存すると、サーバは、該ＷｅｂページのＵＲＬ（Uniform Resource Locator）を引き数としてメールトゥ機能を立ち上げるコマンドを情報処理端末に送信するようにすることもできる。
【０１００】
上述したように、情報配信システム３においても同様に、利用者情報に基づく広告情報を添付することによって、不必要な広告情報を不特定多数の利用者に配信するよりも広告宣伝効果を向上することができる。
【０１０１】
広告情報は、上述したような利用者情報に基づくもののほか、利用者と配信相手との間で送受信される情報から抽出されるキーワード等に応じて添付することもできる。
【０１０２】
【発明の効果】
以上詳細に説明したように、本発明に係る情報配信システムは、画像データと文章データとを有するＷｅｂデータを表示する表示手段とＷｅｂデータを送受するデータ送受信手段とメールトゥ機能とを有する携帯型通信端末と、Ｗｅｂデータの送受を保存するデータ保存手段と、Ｗｅｂデータに対して外部から該Ｗｅｂデータを参照するための宛先アドレスを付する情報付加手段と、登録された利用者を認証する認証手段と、を有する情報供給サーバとを備え、情報供給サーバは、携帯型通信端末との通信において認証手段により認証された利用者によって以前に配信されたＷｅｂデータの一覧情報を携帯型通信端末に送信するとともに、携帯型通信端末により一覧情報から選択され変更されたＷｅｂデータに該Ｗｅｂデータを参照するための新たな宛先アドレスを付加してデータ保存手段に保存し、携帯型通信端末により該変更されたＷｅｂデータの配信先の選択としてメールトゥ機能が選択された際に、新たな宛先アドレスを携帯型通信端末に対して送信する。
【０１０３】
したがって、本発明に係る情報配信システムによれば、一旦情報供給装置に保存されたデータを携帯型通信端末から閲覧でき、更に、このデータに変更を加えて、再度送信することができる。
【０１０４】
また、本発明に係る情報配信システムは、作成されたＷｅｂデータを保存するデータ保存手段と、Ｗｅｂデータに対して外部から該Ｗｅｂデータを参照するための宛先アドレスを付する情報付加手段と、登録された利用者を認証する認証手段とを有する情報供給サーバと、宛先アドレスが付加されたＷｅｂデータを取得するデータ取得手段と、Ｗｅｂデータを表示する表示手段とを有する複数の情報処理端末とを備え、第１の情報処理端末から第２の情報処理端末へＷｅｂデータを配信する情報配信システムにおいて、情報供給サーバは、第１の情報処理端末との通信において認証手段によって利用者を認証すると、該利用者によって以前に配信されたＷｅｂデータの一覧情報を第１の情報処理端末に送信するとともに、第１の情報処理端末により一覧情報から選択され変更されると該Ｗｅｂデータをデータ保存手段に保存し、第１の情報処理端末により該変更されたＷｅｂデータの配信先の選択としてメールトゥ機能が選択された際に、該変更されたＷｅｂデータを参照するための新たな宛先アドレスを引き数としてメール作成画面を立ち上げるコマンドを第１の情報処理端末に送信する。
【０１０５】
したがって、本発明に係る情報配信システムによれば、一旦情報供給装置に保存されたデータを携帯型通信端末から閲覧し、このデータに変更を加えて、再度送信することができる。
【０１０６】
本発明に係る情報配信方法は、画像データと文章データとを有するＷｅｂデータを表示デバイスに表示する表示工程とＷｅｂデータを送受するデータ送受信工程とを含む第１の情報処理工程と、Ｗｅｂデータを保存するデータ保存工程とＷｅｂデータに対して該Ｗｅｂデータを参照するための宛先アドレスを付する情報付加工程と、登録された利用者を認証する認証工程とを含む情報供給工程と、認証工程において利用者が認証されると保存されたＷｅｂデータを取得するデータ取得工程と、Ｗｅｂデータを表示する表示工程と、認証工程で認証された利用者によって以前に配信されたＷｅｂデータの一覧情報の中から選択され変更されたＷｅｂデータに該Ｗｅｂデータを参照するための新たな宛先アドレスを付加して保存する保存工程と、変更されたＷｅｂデータの配信先の選択としてメールトゥ機能が選択された際に、新たな宛先アドレスを送信する送信工程とを含む第２の情報処理工程とを有することを特徴とする。
【０１０７】
したがって、本発明に係る情報配信方法によれば、一旦情報供給装置に保存されたデータを携帯型通信端末から閲覧でき、更に、このデータに変更を加えて、再度送信することができる。
【０１０８】
本発明に係る情報配信方法は、第１の情報処理端末から第２の情報処理端末へＷｅｂデータを配信する情報配信方法において、作成されたＷｅｂデータを保存するデータ保存工程と、Ｗｅｂデータに対して外部から該Ｗｅｂデータを参照するための宛先アドレスを付する情報付加工程と、登録された利用者を認証する認証工程と、認証工程で認証された利用者によって以前に配信されたＷｅｂデータの一覧情報を第１の携帯型通信端末に送信する送信工程とを含む情報供給工程と、宛先アドレスが付加されたＷｅｂデータを取得するデータ取得工程とＷｅｂデータを表示する表示工程とを含む情報処理工程とを有し、第１の携帯型通信端末により一覧情報から選択され変更されると該Ｗｅｂデータをデータ保存工程で保存し、該変更されたＷｅｂデータの配信先の選択としてメールトゥ機能が選択された際に、該Ｗｅｂデータを参照するための新たな宛先アドレスを引き数としてメール作成画面を立ち上げるコマンドを第１の情報処理端末に送信することにより、第１の情報処理端末から第２の情報処理端末へ該変更されたＷｅｂデータへの配信を可能とする。
【０１０９】
したがって、本発明に係る情報配信方法によれば、一旦情報供給装置に保存されたデータを携帯型通信端末から閲覧し、このデータに変更を加えて、再度送信することができる。
【０１１０】
更に、本発明に係る情報配信方法によれば、配信先を選択する際に、携帯型通信端末の機能として設けられているメールトゥ機能が使用できるため、利用者にとって煩わしかったアドレス入力が簡素化される。
【０１１１】
本発明に係る情報供給装置は、画像データと文章データとを有するＷｅｂデータを保存するデータ保存手段と、Ｗｅｂデータに対して外部から該データを参照するための宛先アドレスを付する情報付加手段と、登録された利用者を認証するための認証手段と、認証手段により認証された利用者に対応したＷｅｂデータの一覧情報を携帯型通信端末に対して送信する送信手段とを備え、情報付加手段は、携帯型通信端末において変更された文章データを含む変更後のデータに対して新たな宛先アドレスを付加する。
【０１１２】
したがって、本発明に係る情報供給装置によれば、一旦情報供給装置に保存されたデータを携帯型通信端末から閲覧し、このデータに変更を加えることができる。
【０１１３】
また、本発明に係る情報供給方法は、画像データと文章データとを有するＷｅｂデータを保存するデータ保存工程と、Ｗｅｂデータに対して外部から該Ｗｅｂデータを参照するための宛先アドレスを付する情報付加工程と、登録された利用者を認証するための認証工程と、認証工程において認証された利用者に対応したＷｅｂデータの一覧情報を携帯型通信端末に対して送信する送信工程とを有し、情報付加工程では、携帯型通信端末において変更された文章データを含む変更後のデータに対して新たな宛先アドレスを付加する。
【０１１４】
したがって、本発明に係る情報供給方法によれば、一旦情報供給装置に保存されたデータを携帯型通信端末から閲覧し、このデータに変更を加えることができる。
【図面の簡単な説明】
【図１】本発明の具体例として示す情報配信システムの構成の概略を示す構成図である。
【図２】本発明の具体例として示す情報配信システムにおけるサーバの構成を説明する構成図である。
【図３】本発明の具体例として示す情報配信システムにおけるＷｅｂデータ変換処理部の構成を説明する構成図である。
【図４】本発明の具体例として示す情報配信システムにおいて、Ｗｅｂデータに含まれる画像データ及び記述言語変換を変換する処理を説明するフローチャートである。
【図５】本発明の具体例として示す情報配信システムにおける画像データの判別処理を説明するフローチャートである。
【図６】本発明の具体例として示す情報配信システムにおける画像データの判別処理を説明するフローチャートである。
【図７】本発明の具体例として示す情報配信システムの画像データの判別処理におけるリサイズ処理を説明するフローチャートである。
【図８】本発明の具体例として示す情報配信システムの画像データの判別処理におけるエンコード処理を説明するフローチャートである。
【図９】本発明の具体例として示す情報配信システムのサーバの構成を説明する説明図である。
【図１０】本発明の具体例として示す情報配信システムにおいて、広告情報を付加する処理を説明する模式図である。
【図１１】本発明の具体例として示す情報配信システムにおける画像データ処理装置の画像データ処理ＧＵＩ画面の例を示す図である。
【図１２】本発明の具体例として示す情報配信システムにおける画像データ処理装置の画像データ処理ＧＵＩ画面の例を示す図である。
【図１３】本発明の具体例として示す情報配信システムにおいて、配信先の携帯型無線通信端末に送信される画面構成の例を示す図である。
【図１４】本発明の具体例として示す情報配信システムにおいて、配信先の携帯型無線通信端末に送信される画面構成の例を示す図である。
【図１５】本発明の別の具体例として示す情報配信システムの構成の概略を示す構成図である。
【図１６】本発明の別の具体例として示す情報配信システムにおいて、広告情報を付加する処理を説明する模式図である。
【図１７】本発明の別の具体例として示す情報配信システムにおいて、携帯型電話機からサーバに保存された画像／文章データを編集する処理を説明するフローチャートである。
【図１８】本発明の別の具体例として示す情報配信システムにおいて、利用者の携帯型無線通信端末に送信されるトップページ画面の例を示す図である。
【図１９】本発明の別の具体例として示す情報配信システムにおいて、利用者の携帯型無線通信端末に送信される認証ＩＤ及びパスワード入力画面の例を示す図である。
【図２０】本発明の別の具体例として示す情報配信システムにおいて、利用者の携帯型無線通信端末に送信されるエラーメッセージ画面構成の例を示す図である。
【図２１】本発明の別の具体例として示す情報配信システムにおいて、利用者の携帯型無線通信端末に送信されるエラーメッセージ画面構成の例を示す図である。
【図２２】本発明の別の具体例として示す情報配信システムにおいて、利用者の携帯型無線通信端末に送信されるエラーメッセージ画面構成の例を示す図である。
【図２３】本発明の別の具体例として示す情報配信システムにおいて、利用者の携帯型無線通信端末に送信される預かり画像一覧表示画面の例を示す図である。
【図２４】本発明の別の具体例として示す情報配信システムにおいて、利用者の携帯型無線通信端末に送信される預かり画像一覧表示の中から選択された画像／文章データ画面の例を示す図である。
【図２５】本発明の別の具体例として示す情報配信システムにおいて、利用者の携帯型無線通信端末に送信される編集画面の例を示す図である。
【図２６】本発明の別の具体例として示す情報配信システムにおいて、利用者の携帯型無線通信端末に送信される送信先表示画面の例を示す図である。
【図２７】本発明の別の具体例として示す情報配信システムにおいて、利用者の携帯型無線通信端末に送信される送信先未確認表示画面の例を示す図である。
【図２８】本発明の別の具体例として示す情報配信システムにおいて、利用者の携帯型無線通信端末に送信される保存完了通知画面の例を示す図である。
【図２９】本発明の別の具体例として示す情報配信システムにおいて、利用者の携帯型無線通信端末のメール作成画面の例を示す図である。
【図３０】本発明の別の具体例として示す情報配信システムにおいて、情報配信サービスの機能説明の流れを説明するフローチャートである。
【図３１】本発明の別の具体例として示す情報配信システムにおいて、情報配信サービスの機種確認の流れを説明するフローチャートである。
【図３２】本発明の別の具体例として示す情報配信システムにおいて、情報配信サービスの登録解除の流れを説明するフローチャートである。
【図３３】本発明の別の具体例として示す情報配信システムにおいて、利用者の携帯型無線通信端末に送信される画面構成の例を示す図である。
【符号の説明】
１，２  広告情報配信システム、１１  画像データ処理装置、１２  サーバ、１３  携帯型電話機、１４  携帯電話通信網、１５  携帯電話基地局、１６  有線ネットワーク網、１７  デジタル画像撮像装置、１８ａ  記録媒体、１８ｂ  半導体記憶装置、１９  識別用サーバ、２０  利用者情報データベース、２１  ネットワークＩ／Ｆ部、２２  一時メモリ、２３  識別部、２４  アドレス付加部、２５  データ蓄積部、２６  Ｗｅｂデータ管理部、２７  通信部、２８  Ｗｅｂデータ変換処理部、２９  広告情報蓄積部、３０  広告情報付加部、３１  差出人変更ボタン、３２  表示欄、３３  入力欄、３４  画像表示欄、３５  配信予約欄、３６  チェックボックス、４０  送信結果、４１  通知、４２，４３，４４  広告画像、４５  チェックボックス付き文章広告、４６  文章広告、５０  預かり通知画面、５１  メッセージ、５２  ＵＲＬ、５３  文字広告、５４ＵＲＬ、６０  Ｗｅｂページ、６１  画像データ、６２  文章データ、６３  広告情報、７０  携帯型電話機、９１，９２，９３，９４，９５  広告情報、１０１  ページトップ、１０２  登録認証入力表示、１０３  メッセージ、１０４認証ＩＤ入力欄、１０５  パスワード入力欄、１０６  次へボタン、１０７  戻るボタン、１０８  画像一覧表示、１１０  画像／文章データ、１１１  画像データ、１１２  文章データ、１１３  編集ボタン、１１４  選択ボタン、１１５  編集画面、１１６  メッセージ、１１７  タイトル入力欄、１１８  メッセージ入力欄、１１９  保存ボタン、１２０  チェックボックス付き文章、１２１選択ボタン、１２２  保存完了通知、１２３  メッセージ、１２４  入力欄、１２５  広告情報、１２６  ＵＲＬ
【図１】
0004251794.tif 000002
【図２】
0004251794.tif 000003
【図３】
0004251794.tif 000004
【図４】
0004251794.tif 000005
【図５】
0004251794.tif 000006
【図６】
0004251794.tif 000007
【図７】
0004251794.tif 000008
【図８】
0004251794.tif 000009
【図９】
0004251794.tif 000010
【図１０】
0004251794.tif 000011
【図１１】
0004251794.tif 000012
【図１２】
0004251794.tif 000013
【図１３】
0004251794.tif 000014
【図１４】
0004251794.tif 000015
【図１５】
0004251794.tif 000016
【図１６】
0004251794.tif 000017
【図１７】
0004251794.tif 000018
【図１８】
0004251794.tif 000019
【図１９】
0004251794.tif 000020
【図２０】
0004251794.tif 000021
【図２１】
0004251794.tif 000022
【図２２】
0004251794.tif 000023
【図２３】
0004251794.tif 000024
【図２４】
0004251794.tif 000025
【図２５】
0004251794.tif 000026
【図２６】
0004251794.tif 000027
【図２７】
0004251794.tif 000028
【図２８】
0004251794.tif 000029
【図２９】
0004251794.tif 000030
【図３０】
0004251794.tif 000031
【図３１】
0004251794.tif 000032
【図３２】
0004251794.tif 000033
【図３３】
0004251794.tif 000034